(57)【要約】【課題】良好な性能を有する安価な無線回路を提供する。【解決手段】無線回路１００は、送信信号を電力増幅する電力増幅回路１１と、電力増幅回路１１の出力を入力とする方向性結合器回路１２と、方向性結合器回路１２から出力される送信信号のインピーダンス整合を行う、同調周波数の異なるｎ個の同調回路１４１〜１４ｎと、ｎ個の同調回路のいずれか１つを選択する同調用スイッチ１５１〜１５ｎを有する選択回路１５０と、選択回路１５０により選択された同調回路から出力される送信信号を送出するアンテナとを備える。これにより、アイソレータなどの高価な部品を用いることなく、性能の良い無線回路を提供することができる。【選択図】  図１
2005020157.tif 000002
【特許請求の範囲】
【請求項１】
送信信号を電力増幅する電力増幅回路と、
前記電力増幅回路の出力を入力とする方向性結合器と、
前記方向性結合器から出力される送信信号のインピーダンス整合を行う、同調周波数の異なる複数の同調回路と、
前記送信信号の周波数に応じて、前記複数の同調回路のいずれか１つを選択する選択回路と、
前記選択回路により選択された同調回路から出力される送信信号を送出するアンテナとを備える無線回路。
【請求項２】
請求項１記載の無線回路であって、
前記アンテナを送信系と受信系とに切替える切替え手段を備え、
前記切替え手段は、前記選択回路を内蔵するものであり、
前記複数の同調回路は、前記切替え手段と前記方向性結合器との間に配置されるものである無線回路。
【請求項３】
請求項１記載の無線回路であって、
前記アンテナを送信系と受信系とに切替える切替え手段を備え、
前記切替え手段は、前記複数の同調回路及び前記選択回路を内蔵するものである無線回路。
【発明の詳細な説明】
【０００１】
【発明の属する技術分野】
本発明は、送信信号を増幅してアンテナから送出する無線回路に関する。
【０００２】
【従来の技術】
図３は、従来の携帯電話機の無線回路の概略構成を示す図である。
無線回路３００は、電力増幅回路３１と、結合器回路３２と、同調回路３３と、アイソレータ３４と、送受信用スイッチ３５１を有するアンテナ切替え部３５と、アンテナ３６と、フィルタ回路３７と、ローノイズアンプ回路３８とを備える。
【０００３】
上記構成の無線回路３００は、送信時において、送信端子ＴＸから入力された送信信号が電力増幅回路３１によって所望の電力レベルにまで増幅され、増幅された送信信号が結合器回路３２を介して同調回路３３に入力される。この際、結合器回路３２の出力が電力レベル検出を行うために検出端子Ｄに伝搬される。同調回路３３に入力された送信信号は、入出力インピーダンスの整合（ここでは、隣接チャネル漏洩電力の最適化のこと）が行われた後、アイソレータ３４に入力される。
【０００４】
アイソレータ３４に入力された送信信号は、進行方向（同調回路３３からアンテナ切替え部３５に向かう方向）の電力損失が抑えられ、逆方向（アンテナ切替え部３５から同調回路３３に向かう方向）の電力が抑えられる。このアイソレータ３４により、アンテナ３６から入力される妨害波のそれ以上の侵入が阻止される。アイソレータ３４から出力された送信信号は、送受信用スイッチ３５１を介してアンテナ３６に伝搬され、ここで外部に送出される。
【０００５】
一方、受信時において、アンテナ３６で受信された信号は、アンテナ切替え部３５の送受信用スイッチ３５１を介してフィルタ回路３７に伝搬される。フィルタ回路３７に伝搬された受信信号は、所望の帯域のみ電力損失が抑えられてローノイズアンプ回路３８に入力される。ローノイズアンプ回路３８に入力された受信信号は、その電力レベルが所望のレベルまで増幅されて受信端子ＲＸに出力される（例えば、特許文献１参照）。
【０００６】
このように、従来の無線回路では、アイソレータ３４を設けることにより、送信時にアンテナ３６から入力される妨害波の影響を少なくすることが可能となっている。また、同調回路３３を設けてインピーダンス整合を行うことにより、隣接チャネル漏洩電力の最適化を行うことが可能である。以上のような構成から、良好な性能を持つ無線回路が実現されている。
【０００７】
【特許文献１】
特表２００２−５２８９４６号公報
【０００８】
【発明が解決しようとする課題】
しかしながら、上記従来の無線回路では、アイソレータの部品コストが高いため、無線回路の製造コストが高くなってしまう。
【０００９】
本発明は、上記事情に鑑みて為されたものであり、良好な性能を有する安価な無線回路を提供することを目的とする。
【００１０】
【課題を解決するための手段】
本発明の無線回路は、送信信号を電力増幅する電力増幅回路と、前記電力増幅回路の出力を入力とする方向性結合器と、前記方向性結合器から出力される送信信号のインピーダンス整合を行う、同調周波数の異なる複数の同調回路と、前記送信信号の周波数に応じて前記複数の同調回路のいずれか１つを選択する選択回路と、前記選択回路により選択された同調回路から出力される送信信号を送出するアンテナとを備える。
【００１１】
この構成により、アンテナから入力される妨害波が方向性結合器で減少されるため、アイソレータなどの高価な部品を不要とすることができる。また、送信信号の周波数に応じて複数の同調回路から１つを選択してインピーダンス整合を行うため、所望の送信周波数毎にインピーダンスを補正することができ、ＩＭ（ｉｎｔｅｒｍｏｄｕｌａｔｉｏｎ）特性の劣化を防ぐことができる。したがって、良好な特性を有する安価な無線回路を提供することができる。
【００１２】
また、本発明の無線回路は、前記アンテナを送信系と受信系とに切替える切替え手段を備え、前記切替え手段が前記選択回路を内蔵するものであり、前記複数の同調回路が、前記切替え手段と前記方向性結合器との間に配置されるものである。
【００１３】
この構成により、切替え手段の外に複数の同調回路が配置されることになり、送信信号の周波数帯域に合わせて同調回路の定数を容易に変更することができる。
【００１４】
また、本発明の無線回路は、前記アンテナを送信系と受信系とに切替える切替え手段を備え、前記切替え手段が、前記複数の同調回路及び前記選択回路を内蔵するものである。
【００１５】
【発明の実施の形態】
（第１実施形態）
図１は、本発明の第１実施形態を説明するための移動体通信装置などに搭載される無線回路の概略構成を示す図である。
無線回路１００は、電力増幅回路１１と、方向性結合器回路１２と、アンテナ切替え部１３と、アンテナ１４と、フィルタ回路１５と、ローノイズアンプ回路１６とを備える。アンテナ切替え部１３は、送受信用スイッチ（ＳＷ）１３１と、π型のチップコンデンサやチップコイルで構成されたｎ個（ｎは複数）の同調回路１４１〜１４ｎと、ｎ個の同調用スイッチ（ＳＷ）１５１〜１５ｎを含む選択回路１５０とを有する。
【００１６】
電力増幅回路１１は、送信端子ＴＸに入力された送信信号を所望の電力レベルにまで増幅する。方向性結合器回路１２は、電力増幅回路１１で増幅された送信信号を同調回路１４１〜１４ｎに伝搬すると共に、電力レベルを検出するための検出端子Ｄにその送信信号を伝搬する。方向性結合回路１２は、電力増幅回路１１の出力利得を一定に維持及び制御するために、検出端子Ｄで検出される信号の一部を入力に戻す動作を行う。
【００１７】
同調回路１４１〜１４ｎの各々は、方向性結合器回路１２から出力された送信信号のインピーダンス整合を行う。ここで言うインピーダンス整合とは、隣接チャネル漏洩電力の最適化のことである。同調回路１４１〜１４ｎは各々同調する周波数が異なり、同調する周波数と送信信号の送信周波数とが一致する場合に、適正な入出力インピーダンス整合をとることができる。
【００１８】
選択回路１５０は、適正なインピーダンス整合を行うことができる同調回路を１つ選択し、選択した同調回路の出力信号を送受信スイッチの入力端子（１）に伝搬する。アンテナ切替え部１３は、通信時に、送受信用スイッチ１３１を入力端子（１）と出力端子（２）とに切替え制御し、送信系と受信系とを切替える。アンテナ１４は、入力端子（１）に伝搬された送信信号を外部に送出したり、外部から受信した受信信号を出力端子（２）に入力したりする。
【００１９】
次に、無線回路１００の動作について説明する。
送信時において、送信端子ＴＸから入力された送信信号は、電力増幅回路１１で電力増幅された後、方向性結合器回路１２を通してアンテナ切替え部１３に入力される。
【００２０】
方向性結合器回路１２は、電力増幅回路１１から入力された送信信号が検出端子Ｄに伝搬される時の電力レベルよりも、アンテナ１４から入力された妨害波が検出端子Ｄに伝搬される時の電力レベルの方が低くなるように設定されている。このため、検出端子Ｄで検出される電力レベルは、電力増幅回路１１から出力された信号の電力レベルに依存することになり、アンテナ１４からの妨害波の影響を減らすことができる。また、方向性結合器回路１２は、電力増幅回路１１から出力された電力をほとんど損失することなく同調回路１４１〜１４ｎに伝搬することができる。
【００２１】
方向性結合器回路１２から伝搬されてきた送信信号は、同調回路１４１〜１４ｎの各々で入出力インピーダンスの整合が行われ、選択回路１５０によって選択された同調回路の出力のみが、送受信スイッチ１３１の入力端子（１）に伝搬される。これにより、予め指定された周波数帯域毎に適したインピーダンス整合を行うことができ、ＩＭ特性の劣化を防ぐことができる。入力端子（１）に伝搬された送信信号は、送受信用スイッチ１３１を介してアンテナ１４に伝搬され、ここで外部に送出される。
【００２２】
一方、受信時において、アンテナ１４で受信された受信信号は、送受信用スイッチ１３１の入出力端子（３）から入力端子（２）を介してフィルタ回路１５に入力され、ここで所望の帯域のみ電力損失が抑えられる。フィルタ回路１５から出力された所望の帯域の受信信号は、ローノイズアンプ回路１６により所望の電力レベルまで増幅された後、受信端子ＲＸに出力される。
【００２３】
以上のように本実施形態によれば、方向性結合器回路１２によってアンテナ１４からの妨害波の影響を抑えているため、アイソレータなどの高価な部品を用いる必要がなくなる。また、同調回路１４１〜１４ｎも安価な部品で構成されている。したがって、無線回路の製造コストを低く抑えることができる。
【００２４】
また、同調回路１４１〜１４ｎのうち適正なインピーダンス整合を行うもののみを選択し、選択した同調回路の出力信号をアンテナ１４から送出するため、指定された周波数帯域毎に適したインピーダンス整合を行うことができ、ＩＭ特性、隣接チャネル漏洩電力、及び送信効率などの無線回路としての性能の低下を防ぐことができる。
【００２５】
尚、上記の説明では、選択回路１５０を同調回路１４１〜１４ｎの後段に設けることとしているが、選択回路１５０を同調回路１４１〜１４ｎの前段に設け、選択回路１５０によって選択された同調回路のみが、送信信号のインピーダンス整合を行うようにしても良い。
【００２６】
（第２実施形態）
図２は、本発明の第２実施形態を説明するための移動体通信装置などに搭載される無線回路の概略構成を示す図である。但し、図１に示した構成と同様の部分には同一符号を付し、その説明を省略する。
【００２７】
図２に示す無線回路２００の構成は図１に示すものとほぼ同様であるが、ｎ個の同調回路１４１〜１４ｎをアンテナ切替え部１３の内部ではなく、外部に設けるところだけが異なる。このため、無線回路２００の動作は第１実施形態と同様で、同様の効果があるが、同調回路１４１〜１４ｎをアンテナ切替え部１３の外部に設けることにより、同調回路１４１〜１４ｎの定数を容易に変更することができ、送信信号の周波数帯域の変更に容易に対応することができる。
【００２８】
尚、第１及び第２実施形態では、送受信用スイッチ１３１が１つの例を説明したが、デュアルバンドのように複数の送受信用スイッチがある場合でも、同様に実施可能である。
【００２９】
【発明の効果】
本発明によれば、良好な性能を有する安価な無線回路を提供することができる。
【図面の簡単な説明】
【図１】本発明の第１実施形態を説明するための移動体通信装置に搭載される無線回路の概略構成を示す図
【図２】本発明の第２実施形態を説明するための移動体通信装置に搭載される無線回路の概略構成を示す図
【図３】従来の携帯電話機の無線回路の概略構成を示す図
【符号の説明】
１１  電力増幅回路
１２  方向性結合器回路
１３  アンテナ切替え部
１４  アンテナ
１５  フィルタ回路
１６  ローノイズアンプ回路
１３１  送受信用スイッチ
１４１〜１４ｎ  同調回路
１５０  選択回路
１５１〜１５ｎ  同調用スイッチ
Ｄ  検出端子
ＲＸ  受信端子
ＴＸ  送信端子
【図１】
2005020157.tif 000003
【図２】
2005020157.tif 000004
【図３】
2005020157.tif 000005